(57)【特許請求の範囲】
【請求項１】
設定条件を変更して表示特性を調整する映像調整機能を備え、映像調整モードにおいて表示される映像調整用画面に、少なくともユーザーメニューの各項目におけるそれぞれの機能について視覚的に説明するための機能説明用画像を表示する映像表示装置であって、
前記機能説明用画像は、前記メニュー項目のユーザー選択に応じて切り替わり、選択されたメニュウ項目の調整の視覚的説明に適する一対の動画または静止画であり、
調整中の設定条件による表示特性が、前記一対の機能説明用画像の一方にのみ反映されることを特徴とする映像表示装置。
【請求項２】
前記一対の機能説明用画像の他方は、当該メニュウ項目のデフォルトの設定または前回利用した設定を反映した画像が表示されることを特徴とする請求項１に記載の映像表示装置。
【請求項３】
２画面表示モード機能を備え、該２画面表示モードが選択された場合は、一方の画面に前記映像調整用画面を表示し、他方の画面に視聴映像を表示することを特徴とする請求項１または２に記載の映像表示装置。
【請求項４】
前記２画面表示モードの場合は、調整中の設定条件による表示特性が、他方の画面に表示されている視聴映像に反映されることを特徴とする請求項３記載の映像表示装置。
【発明の詳細な説明】
【技術分野】
【０００１】
本発明は、ユーザーメニューの各項目における表示特性の設定を変更するための映像調整機能を備えた表示装置に関するものである。
【背景技術】
【０００２】
従来、表示映像の画質や応答性などの表示特性に関する設定条件を変更するための映像調整機能を備えた映像表示装置においては、ユーザーメニューで選択した項目における設定条件を自由に変えることができるが、ユーザーにとって、その項目の機能で実際に映像がどのように変化するのか、その内容がわからないことが多い。
画面に映像を映し出して装置の機能を説明するものとしては、例えば、リモコンの画像を画面に表示し、ユーザーが所望の操作ボタンを指定するとその操作ボタンについての説明文が表示されるようにしたものがある(特許文献１)。
【特許文献１】特開平１１−３５５６０２号公報
【発明の開示】
【発明が解決しようとする課題】
【０００３】
しかし、上述した従来の技術は、単に取扱説明書を読まずにリモコンの使い方が分かるようにしただけのものであり、取扱説明書による説明でも理解しにくい機能を映像で分かり易くするようにしたものではない。
一般に、取扱説明書には装置の各機能についての説明は記載されているが、項目によっては文字表示による説明だけではユーザーに分かりにくいものがある。その分かりにくさゆえに、映像調整の設定値変更を行わないでいるユーザーも多いと思われる。
本発明は、このような現状に鑑み、映像調整における各メニュー項目について、その機能による効果を視覚的に分りやすくすることを目的とする。
【課題を解決するための手段】
【０００４】
本発明は、上記課題を解決するために以下の技術手段を備えている。
第１の技術手段は、設定条件を変更して表示特性を調整する映像調整機能を備え、映像調整モードにおいて表示される映像調整用画面に、少なくともユーザーメニューの各項目におけるそれぞれの機能について視覚的に説明するための機能説明用画像を表示する映像表示装置であって、前記機能説明用画像は、前記メニュー項目のユーザー選択に応じて切り替わり、選択されたメニュウ項目の調整の視覚的説明に適する一対の動画または静止画であり、調整中の設定条件による表示特性が、前記一対の機能説明用画像の一方にのみ反映される映像表示装置を特徴とする。
【０００５】
第２の技術手段は、第１の技術手段において、前記一対の機能説明用画像の他方は、当該メニュウ項目のデフォルトの設定または前回利用した設定を反映した画像が表示されることを特徴とする。
【０００６】
第３の技術手段は、第１または２の技術手段において、２画面表示モード機能を備え、該２画面表示モードが選択された場合は、一方の画面に前記映像調整用画面を表示し、他方の画面に視聴映像を表示することを特徴とする。
【０００７】
第４の技術手段は、第３の技術手段において、前記２画面表示モードの場合は、調整中の設定条件による表示特性が、他方の画面に表示されている視聴映像に反映されることを特徴とする。
【発明の効果】
【０００８】
本発明によれば、文字表示による説明だけでは分かりにくいその機能による効果を、アニメーションや静止画からなる機能説明用画像を映像調整用画面に表示し、実際の効果を視覚的に説明するようにしたので、その機能についてあまり知識がないユーザーでも、直感的に操作しようとする機能を理解することができるようになる。
また２画面表示モードを選択した場合は、一方の画面を映像調整用画面とし、他方の画面に視聴映像を表示するようにしたので、映像調整操作中でも視聴中の映像を見続けることができる。
映像調整の各メニューの項目の機能による効果が分かれば、そのテレビに搭載されている映像調整機能をユーザーが適切に使用することができるようになり、一層映像ライフを楽しめるようになる。
【発明を実施するための最良の形態】
【０００９】
以下、本発明の実施の形態を、図面を参照しながら説明する。図１は、本発明をテレビジョン受像機に適用した場合の一例を示す。テレビジョン受像機１が備えている各種の機能を制御する制御部１０には、ユーザーのキー操作により発生する操作部又はリモコン受信部１１からの信号が入力される。ユーザーの選択により選局されたチューナ１２からのテレビジョン放送信号は映像中間周波・検波回路１３によりビデオ信号が検波され、検波されたビデオ信号又は外部入力端子からの入力されるビデオ信号は、ビデオセレクタ１４を介してＹ／Ｃ分離回路部１５に入力される。Ｙ／Ｃ分離回路部１５に入力されたビデオ信号は、輝度信号と色差信号に分離されてからＡ／Ｄ変換部１６によりデジタルデータに変換され、主画面映像処理回路部１７に入力される。
主画面映像処理回路部１７は視聴映像を表示するためにカラー映像データに対する所定の処理および、後述する２画面表示モードが選択された場合、２分割した画面の一方に視聴映像を表示できるようにするための圧縮処理を行う。映像調整用画像生成部１８は各調整項目の機能を説明するための動画や静止画を生成し、制御部１０からの指令信号により、選択項目に応じた機能説明用画像を２画面挿入回路部１９に供給する。
【００１０】
２画面挿入回路部１９は、２画面表示モードが選択された場合、右画面に視聴映像を、左画面に映像調整用画像を表示できるようにするための処理を行う。マトリクス回路部２０は、画面挿入回路部１９からの映像データを表示特性設定回路部２１で設定されている表示特性データを加えてＲＧＢデータに変換する。合成映像生成部２２は、マトリクス回路部２０からのＲＧＢデータと、オンスクリーン表示画像生成部２３からのオンスクリーン画像データとを合成して１画面の画像データを生成する。オンスクリーン表示画像生成部２３は、制御部１０からの指令信号に基づいて前述の開始画面や映像調整用画面のオンスクリーン画像データを合成映像生成部２２に供給する。合成映像生成部２２で合成された映像データはＤ／Ａ変換部２４でアナログ信号に変換され表示部に出力される。
【００１１】
制御部１０は、２画面表示モードが選択されると２画面挿入回路部１９に指令信号を出し、２画面挿入回路部１９はその指令に応じて画面を２分割し、左画面に映像調整用画面、右画面に圧縮された視聴映像を表示する。さらに、ユーザーが確認あるいは調整したい設定項目を選択した場合、制御部１０はその情報にもとづいて映像調整用画面生成部１８に指令信号を出し、映像調整用画面生成部１８はその設定項目に対応した機能説明用画像データを２画面挿入回路部１９に供給する。また、ユーザーが設定値の変更や設定状態を変更する設定操作を行った場合、制御部１０はその情報にもとづいて表示特性設定回路部２１に指令信号を出し、表示特性設定回路部２１は不揮発性メモリに保存されている設定情報を変更された設定値あるいは設定状態に書き換える。
【００１２】
次に、本発明を適用した図１のテレビジョン受像機において、映像調整を行う場合の動作を画面表示例を用いて説明する。なお、以下の操作はリモコンを用いて行うこととし、リモコンにはメニューキー、テンキー、増減（＋−）キー、決定キー、十字キー、戻るキーなどが設けられているものとする。
【００１３】
画面に視聴映像が表示されている状態で映像調整を行うためのメニューキーを押下すると、最初に図２に示す映像調整用の開始画面が表示され、２画面表示モードを選択する場合は「ＹＥＳ」を選択すると図３に示す２画面表示に切り替わり、右画面にはそれまで視聴していた視聴映像が表示され、左画面には映像調整に関する設定メニュー画面と、デフォルトの、あるいは前回利用した項目の機能説明用画像が表示される。前述したように機能説明用画像としては静止画や動画の画像データが用意されており、それぞれの項目に適した画像が表示されるようになっている。図３の表示例は、液晶テレビで、動きの速い映像を残像感のないくっきりとした、より見やすくする機能である「クイックシュート」についての機能説明用画像を示しており、残像感があるものと無いものとの一対の動画を並べて表示している。この場合、動画を用いた方がその機能の理解に極めて有効である。
【００１４】
設定値を変更する場合は増減キーを操作すると、反転表示されている項目名の数値バーの表示レベルが変化し、表示されている機能説明用画像の一方、例えば左側の映像にその変化が反映され、速い動きの映像の残像感が低減する様子を確認することができる。ユーザーはその画像の変化を見ながら調整を行い、好みの表示特性になったところで決定キーを押下すると、変更された表示特性が画面右側の視聴映像に反映される。また、表示特性設定回路部２１内の不揮発性メモリに保存されていたクイックシュートの設定値が変更後の設定値に書き換えられる。
【００１５】
続いて次の項目の「３次元Ｙ／Ｃ分離」を選択する場合は上下方向キーを操作してその項目を反転表示させる。この項目の場合は、虹色のカラーノイズが発生しているＯＦＦ時のパターン画像と、虹色のカラーノイズが減少しているＯＮ時のパターン画像を表示し、その機能を理解することができるようにしてある。この場合は動画よりも静止画が適している。図５は、黒色を引き締め、黒浮きをなくして奥行感を出す機能である「黒伸張」の場合の表示例で、この場合も静止画が適している。
【００１６】
図６は、図２の選択画面で２画面表示モードを選択しなかった場合の１画面表示モードの画面表示例を示しており、この場合は画面全体が映像調整用画面になるので、視聴映像を表示することはできない。そのかわり機能説明用画像を大きく表示することができるので、画像の細部を確認する必要があるような項目の場合にはその確認が容易になるメリットがある。図示の例は前述した「クイックシュート」の項目であるが、動画の場合も大きい画面の方が分かり易いことが多いので、項目によって２画面表示モードにするか否かを選択する。
【００１７】
図７は、本発明における映像調整処理のフローチャートを示したものである。
先ず、画面に視聴映像が表示されている状態で、メニューキーを押下して「映像調整」の項目を選択すると図２の映像調整の開始画面がオンスクリーン表示され(Ｓ１)、表示モードの選択で（ステップＳ２）、２画面表示を選択すると（ステップＳ３／Ｙ）、前述した図３の２画面表示に切り替わり、左画面に映像調整用画面が表示される（ステップＳ４）。なお、図３は実施例として、デフォルトでメニュー項目の１番目に位置している項目の機能説明用画像を表示するようにした表示例を表している。
【００１８】
現在反転表示されている項目から上下キーを操作して別の項目を反転表示させると(ステップＳ５)、それまで表示されていた機能説明用画像が反転表示させた項目のものに切り替わる(ステップＳ６)。続いて上下方向キーを操作するとステップＳ５に戻り(ステップＳ７)、その操作により選択された機能説明用画面に切り替わる。
ステップＳ７で増減キー（又は左右方向キー）を操作すると選択されている項目の設定条件が変更され、変更後の表示特性が一対の機能説明用画像の一方に反映される（ステップＳ８）。なお、２画面表示モードの場合は、調整中の表示特性は右画面に表示されている視聴映像にも反映させるようにしても良い。
このように図３の表示画面で上下方向キーを操作して各項目の機能説明用画像を順次表示させ、また、増減キーの操作により表示画像の変化を確認することができるので、ステップ５からステップＳ９の間は、上下方向キーと増減キー（又は左右方向キー）を操作することにより機能確認モードとして利用することが可能である。
【００１９】
増減キー（又は左右方向キー）を操作して設定条件を変更し、それに応じて変化する機能説明用画像を見ながら所望の表示特性の画像になったところで決定キーを押下すると（ステップＳ９）、右画面に表示されている視聴映像にもその設定変更が反映され、不揮発性メモリに保存されている設定値あるいは状態が変更後の設定に書き換えられる（ステップＳ１０）。
引き続き別の項目の設定変更又は機能の確認を行う場合は、上下方向キーを操作することによりステップＳ１１からステップＳ５に戻ってステップＳ１０まで同様の処理を繰り返す。
【００２０】
また、設定変更あるいは機能の確認を１画面表示モードで行なう場合は、ステップ１１で戻るキーを押下するとステップ１に戻り、図２の表示画面で「ＮＯ」を選択するとステップ１２に進み、図６の映像調整画面が１画面に表示される（ステップＳ１２）。それ以降のステップＳ１３〜１９までは、上述したステップＳ５〜１１までと基本的に同じなので説明を省略する。
映像調整モードを終了する場合は、ステップ７〜１１又はステップ１５〜１９の間で、メニューキーを押下すると画面が映像調整画面から通常画面に戻り（ステップＳ２０）、映像調整モードを終了する。
【００２１】
なお、本発明における機能説明用画像の画像データをメモリに記憶しておく場合、動画データはパターン画像や静止画に比べて多くの容量が必要となるので、短時間映像の動画データを用い、その項目の機能確認又は設定値調整が終了するまで、その映像を繰り返し再生するようにしても良い。
【図面の簡単な説明】
【００２２】
【図１】本発明をテレビジョン受像機に適用した場合の一実施形態を示すブロック構成図である。
【図２】映像調整モードを選択したときに視聴映像上にオンスクリーン表示される映像調整開始画面の表示例を表す図である。
【図３】２画面表示モードの場合の表示画面例を示す図である。
【図４】「３次元Ｙ／Ｃ分離」の機能説明用画像が表示されている図である。
【図５】「黒伸張」の機能説明用画像が表示されている図である。
【図６】１画面表示モーデにおける映像調整用画面の表示例を示す図である。
【図７】本発明の一実施例の動作フローの一例を示した図である。
【符号の説明】
【００２３】
１０…制御部、１７…主画面映像処理回路部、１８…映像調整用画像生成部、１９…２画面挿入回路部、２０…マトリクス回路部、２１…表示特性設定回路部、２２…合成映像生成部、２３…オンスクリーン表示画像生成部。
【図１】
0004771866.tif 000002
【図２】
0004771866.tif 000003
【図３】
0004771866.tif 000004
【図４】
0004771866.tif 000005
【図５】
0004771866.tif 000006
【図６】
0004771866.tif 000007
【図７】
0004771866.tif 000008